【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
複数のサブキャリアを含むマルチキャリア信号を電力線を介して他の電力線通信装置に送信する電力線通信装置であって、
前記複数のサブキャリアのうち少なくとも１つのサブキャリアの位相を、所定の回転量を示す位相ベクトルで回転させる位相回転部と、
第１の位相ベクトルで少なくとも１つのサブキャリアの位相が前記位相回転部により回転された、第１のマルチキャリア信号を生成し、生成された第１のマルチキャリア信号を電力線に出力する第１のマルチキャリア信号出力部と、
前記第１の位相ベクトルを、当該第１の位相ベクトルと回転量が異なる第２の位相ベクトルに変更する位相ベクトル変更部と、
前記位相ベクトル変更部により変更された位相ベクトルで少なくとも１つのサブキャリアの位相が前記位相回転部により回転された、第２のマルチキャリア信号を生成し、生成された第２のマルチキャリア信号を電力線に出力する第２のマルチキャリア信号出力部と、
前記第１マルチキャリア信号出力部及び前記第２マルチキャリア信号出力部によりそれぞれ電力線に出力された第１のマルチキャリア信号及び第２のマルチキャリア信号を用いて、時間及び周波数帯域の少なくとも一方を設定する多元接続方式設定部と、
前記多元接続方式設定部により設定された時間及び周波数帯域の少なくとも一方で、前記他の電力線通信装置と電力線を介してデータ通信を行うデータ通信部とを備えた電力線通信装置。
【請求項２】
請求項１記載の電力線通信装置であって、更に、
前記第２のマルチキャリア信号に使用する周波数帯域を設定する周波数帯域設定部を備え、
前記位相ベクトル変更部は、前記周波数帯域設定部により設定された周波数帯域に応じて回転量を設定し、前記第１の位相ベクトルを、設定した回転量を示す前記第２の位相ベクトルに変更する電力線通信装置。
【請求項３】
請求項１または２記載の電力線通信装置であって、更に、
前記電力線に伝送される交流電圧が所定の電圧値となる時点を検出する時点検出部を備え、
前記第１のマルチキャリア信号出力部及び前記第２のマルチキャリア信号出力部それぞれは、前記時点検出部により検出された時点を基準としたタイミングを用いて、前記第１のマルチキャリア信号及び前記第２のマルチキャリア信号を出力する電力線通信装置。
【請求項４】
請求項１または２記載の電力線通信装置であって、
前記第１のマルチキャリア信号出力部は、前記第１のマルチキャリア信号を所定の時間を介して繰り返し電力線に出力し、
前記第２のマルチキャリア信号出力部は、前記第１のマルチキャリア信号が出力されたタイミングを用いて、前記第１のマルチキャリア信号及び前記第２のマルチキャリア信号を出力する電力線通信装置。
【請求項５】
請求項１ないし４いずれか１項に記載の電力線通信装置であって、
前記位相ベクトル変更部は、ＰＮ系列を用いて回転量を設定し、前記第１の位相ベクトルを、設定した回転量を示す前記第２の位相ベクトルに変更する電力線通信装置。
【請求項６】
請求項５記載の電力線通信装置であって、
前記ＰＮ系列はＭ系列である電力線通信装置。
【請求項７】
複数のサブキャリアを含むマルチキャリア信号を電力線を介して他の電力線通信装置に送信する集積回路であって、
前記複数のサブキャリアのうち少なくとも１つのサブキャリアの位相を、所定の回転量を示す位相ベクトルで回転させる位相回転部と、
第１の位相ベクトルで少なくとも１つのサブキャリアの位相が前記位相回転部により回転された、第１のマルチキャリア信号を生成し、生成された第１のマルチキャリア信号を電力線に出力する第１のマルチキャリア信号出力部と、
前記第１の位相ベクトルを、当該第１の位相ベクトルと回転量が異なる第２の位相ベクトルに変更する位相ベクトル変更部と、
前記位相ベクトル変更部により変更された位相ベクトルで少なくとも１つのサブキャリアの位相が前記位相回転部により回転された、第２のマルチキャリア信号を生成し、生成された第２のマルチキャリア信号を電力線に出力する第２のマルチキャリア信号出力部とを備えた集積回路。
【請求項８】
複数のサブキャリアを含むマルチキャリア信号を電力線を介して電力線通信装置に送信する電力線送信方法であって、
前記複数のサブキャリアのうち少なくとも１つのサブキャリアの位相を、所定の回転量を示す位相ベクトルで回転させ、
第１の位相ベクトルで少なくとも１つのサブキャリアの位相が回転された、第１のマルチキャリア信号を生成し、生成された第１のマルチキャリア信号を電力線に出力し、
前記第１の位相ベクトルを、当該第１の位相ベクトルと回転量が異なる第２の位相ベクトルに変更し、
前記変更された位相ベクトルで少なくとも１つのサブキャリアの位相が回転された、第２のマルチキャリア信号を生成し、生成された第２のマルチキャリア信号を電力線に出力し、
電力線に出力された第１のマルチキャリア信号及び第２のマルチキャリア信号を用いて、時間及び周波数帯域の少なくとも一方を設定し、
前記設定された時間及び周波数帯域の少なくとも一方で、前記電力線通信装置と電力線を介してデータ通信を行う電力線通信方法。
【請求項９】
複数のサブキャリアを含むマルチキャリア信号を電力線を介して電力線通信装置に送信する電力線送信方法であって、
前記マルチキャリア信号に使用する周波数帯域に応じて異なる回転量を示す位相ベクトルで、前記複数のサブキャリアのうち少なくとも１つのサブキャリアの位相を回転させ、
前記位相が回転されたサブキャリアを含むマルチキャリア信号を電力線に出力し、
前記電力線に出力されたマルチキャリア信号を用いて、時間及び周波数帯域の少なくとも一方を設定し、
前記設定された時間及び周波数帯域の少なくとも一方で、前記電力線通信装置と電力線を介してデータ通信を行う電力線通信方法。
【請求項１０】
複数のサブキャリアを含むマルチキャリア信号を電力線を介して電力線通信装置に送信する電力線送信方法であって、
複数のタイムスロットを設定し、
前記複数のタイムスロットのうち、少なくとも隣り合うタイムスロット同士で異なる回転量を示す位相ベクトルを設定し、
前記マルチキャリア信号を出力すべきタイムスロットに応じた位相ベクトルで、前記複数のサブキャリアのうち少なくとも１つのサブキャリアの位相を回転させ、
前記位相が回転されたサブキャリアを含むマルチキャリア信号を、当該マルチキャリア信号を出力すべきタイムスロットに出力し、
前記出力されたマルチキャリア信号を用いて、時間及び周波数帯域の少なくとも一方を
設定し、
前記設定された時間及び周波数帯域の少なくとも一方で、前記電力線通信装置と電力線を介してデータ通信を行う電力線通信方法。
【請求項１１】
請求項１０記載の電力線送信方法であって、
複数のタイムスロット毎に異なる回転量を示す位相ベクトルを設定する電力線通信方法。
【請求項１２】
請求項１０または１１記載の電力線送信方法であって、
前記電力線に伝送される交流電圧が所定の電圧値となる時点を検出し、
前記位相が回転されたサブキャリアを含むマルチキャリア信号を、検出された時点を基準としたタイミングを用いて、電力線に出力する電力線通信方法。
【請求項１３】
電灯線を介して接続された複数の電力線通信装置と通信可能な電力線通信装置であって、
前記複数の電力線通信装置から１以上の要求信号を予め決められたタイミング上の第１のタイムスロットで受信する受信部と、
前記予め決められたタイミング上の前記第１のタイムスロットと異なる第２のタイムスロットで前記複数の電力線通信装置の１つへ別の要求信号を送信する送信部と、
前記複数の電力線通信装置によって送信された要求信号を検知する検知部と、
前記複数の電力線通信装置から受信した要求信号と前記送信部が送信した要求信号とにしたがって、少なくとも周波数あるいはタイムスロットの一方を設定する設定部と、を備え、
前記送信部は、前記設定部が当該電力線通信装置のために設定した周波数あるいはタイムスロットを用いて、通信相手として指定する電力線通信装置へデータを送信することを特徴とする電力線通信装置。
【請求項１４】
前記送信部は、前記設定部が設定しなかった周波数でもタイムスロットでも送信しないことを特徴とする請求項１３記載の電力線通信装置。
【請求項１５】
前記受信部は、受信した同期信号に基づいて前記要求信号を受信することを特徴とする請求項１３記載の電力線通信装置。
【請求項１６】
各要求信号の位相は、要求信号を送信する電力線通信装置に依存して異なることを特徴とする請求項１３あるいは１５いずれか１項記載の電力線通信装置。
【請求項１７】
前記要求信号は、複数のサブキャリアを含むマルチキャリア信号であることを特徴とする請求項１３、１５、１６いずれか１項記載の電力線通信装置。
【請求項１８】
請求項１７記載の電力線通信装置であって、
更に、予め決められた位相の回転を示す位相ベクトルを用いて、前記複数のサブキャリアの位相を回転させる位相回転器を備え、
前記検知部は、前記位相ベクトルを用いて回転された位相を持つ複数のサブキャリアを含む予め決められたマルチキャリア信号を検知することを特徴とする電力線通信装置。
【請求項１９】
前記同期信号に対応する位相ベクトルは、前記予め決められたマルチキャリア信号に対応する位相ベクトルと異なることを特徴とする請求項１７あるいは１８記載の電力線通信装置。
【請求項２０】
指定する電力線通信装置へ送信されるデータのタイムスロットは要求信号が送信される第１タイムスロット及び第２タイムスロットより長いことを特徴とする請求項１３記載の電力線通信装置。
【請求項２１】
電灯線を介して接続された電力線通信装置と他の複数の電力線通信装置と通信する電力線通信方法であって、
前記他の複数の電力線通信装置から１以上の要求信号を予め決められたタイミング上の第１タイムスロットで受信する要求信号受信ステップと、
前記予め決められたタイミング上の前記第１のタイムスロットと異なる第２タイムスロットで前記他の複数の電力線通信装置の１つへ別の要求信号を送信する送信ステップと、
前記他の複数の電力線通信装置によって送信された要求信号を検知する検知ステップと、
前記他の複数の電力線通信装置から受信した要求信号と前記送信ステップで送信した要求信号とにしたがって、少なくとも周波数あるいはタイムスロットの一方を設定する設定ステップと、
前記設定ステップで当該電力線通信装置のために設定した周波数あるいはタイムスロットを用いて、通信相手として指定する電力線通信装置へデータを送信するデータ送信ステップと、を備えたことを特徴とする電力線通信方法。